(57)【要約】【課題】水蒸気を遮段能力が高く、寿命等を向上した電気泳動表示装置を提供する。【解決手段】マトリクス状に配置された画素電極に画像信号を供給するスイッチング素子４６を制御可能な外部回路を備える第１の基板１０と、透光性材料からなる第２の基板２０とで、少なくとも透明導電性材料層としてのＩＴＯ層３６と絶縁性の液体中に電気泳動性の粒子を分散させた分散液を含む電気泳動表示層３４とを備える電気泳動表示体５０を、電気泳動表示層３４が第１の基板１０と対向するように狭持してなる電気泳動表示装置であって、第１の基板１０および第２の基板２０の平面形状は電気泳動表示体５０より大きく、電気泳動表示体５０の周縁部は、双方の基板の間に電気泳動表示体５０が存在しない環状の空隙部となっており、該空隙部の少なくとも外周部は、双方の基板の間隔が電気泳動表示体５０の厚さよりも小さい狭小部１００であることを特徴とする電気泳動表示装置。【選択図】図３
2008233737.tif 000002
【特許請求の範囲】
【請求項１】
第１の基板と、第２の基板と、前記第１の基板と前記第２の基板とに狭持された少なくとも透明導電性材料層と絶縁性の液体中に電気泳動性の粒子を分散させた分散液を含む電気泳動表示層とを備える電気泳動表示体とを備え、
前記第１の基板および前記第２の基板の平面形状は前記電気泳動表示体より大きく、前記電気泳動表示体の周縁部は、双方の基板の間に前記電気泳動表示体が存在しない環状の空隙部となっており、前記環状の空隙部の少なくとも一部は、双方の基板の間隔が前記電気泳動表示体の厚さよりも小さい環状の狭小部となっていることを特徴とする電気泳動表示装置。
【請求項２】
前記環状の空隙部の少なくとも一部には、水蒸気を遮断する機能を有する材料が充填されていることを特徴とする請求項１に記載の電気泳動表示装置。
【請求項３】
前記環状の狭小部は、前記第１の基板および前記第２の基板の少なくとも一方の基板の外周部を、対向する基板に近づく方向に曲げられることにより形成されていることを特徴とする請求項１または２に記載の電気泳動表示装置。
【請求項４】
前記環状の狭小部は、前記第１の基板および前記第２の基板の少なくとも一方の基板の外周部に配置された環状の隔壁により形成されていることを特徴とする請求項１または２に記載の電気泳動表示装置。
【請求項５】
前記電気泳動表示層は、絶縁性の液体中に電気泳動性の粒子を分散させた分散液を保持する複数の略同一の形状のマイクロカプセルを２次元に配列して形成されていることを特徴とする請求項１〜４のいずれか一項に記載の電気泳動表示装置。
【請求項６】
前記第１の基板は、マトリクス状に配置された画素電極、当該画素電極に画像信号を供給するスイッチング素子及び当該スイッチング素子を制御可能な外部回路を有することを特徴とする請求項１〜５のいずれか一項に記載の電気泳動表示装置。
【請求項７】
前記スイッチング素子は薄膜トランジスタであることを特徴とする請求項６に記載の電気泳動表示装置。
【請求項８】
前記第２の基板は、透光性を有することを特徴とする請求項１〜７のいずれか一項に記載の電気泳動表示装置。
【発明の詳細な説明】
【技術分野】
【０００１】
本発明は、電気泳動表示装置に関する。
【背景技術】
【０００２】
反射型表示装置の一つとして、電気泳動粒子を分散させた電気泳動分散液に電界を作用させると、当該粒子がクーロン力により液体中を移動（電気泳動）する現象を利用した電気泳動表示装置が知られている。それぞれが電極を有する２枚の基板間に上記電気泳動分散液を充填して電気泳動表示層を形成し、局所的に電圧を印加することによって、電気泳動粒子をその電荷と反対極性の電極上に移動させて画像を形成するものである。かかる電気泳動表示装置として、近年は、上記２枚の基板間に上記電気泳動分散液を封入した複数のマイクロカプセルを２次元的に配置して電気泳動表示層を形成するマイクロカプセル型のものが多用されている。
【０００３】
上記電気泳動分散液は一般に耐湿性が低く、吸湿すると特性が劣化し、電気泳動表示装置の寿命、あるいは表示性能等を損ねることが判明している。そこで、例えば特許文献１に示すように、上記２枚の基板間の複数のマイクロカプセルの周囲に水蒸気を遮断する機能を有する材料（以下、「水蒸気遮断材料」と称する。）を充填して、水蒸気の滲入を抑制する手法が提案されている。
【０００４】
【特許文献１】特開２００５−１１４８２２号公報
【発明の開示】
【発明が解決しようとする課題】
【０００５】
しかし、水蒸気遮断樹脂といえども完全には水蒸気を遮段できず、厚さに比例し水平方向の距離に反比例する量の水蒸気の浸透を許容せざるを得ない。ここで、上記厚さを抑制するためにマイクロカプセルの形状を小さくすることは電気泳動表示装置の表示性能を劣化させ得る。また、水平方向の距離を増大させると、電気泳動表示装置の外形を拡大させることとなり好ましくない。
【０００６】
本発明はかかる課題を解決すべくなされたものであり、上記手法によらずに水蒸気を遮段能力を向上させて、電気泳動表示装置の寿命等を向上させるものである。
【課題を解決するための手段】
【０００７】
上記課題を解決するために、本発明にかかる電気泳動表示装置は、第１の基板と、第２の基板と、上記第１の基板と上記第２の基板とに狭持された少なくとも透明導電性材料層と絶縁性の液体中に電気泳動性の粒子を分散させた分散液を含む電気泳動表示層とを備える電気泳動表示体とを備え、上記第１の基板および上記第２の基板の平面形状は上記電気泳動表示体より大きく、上記電気泳動表示体の周縁部は、双方の基板の間に上記電気泳動表示体が存在しない環状の空隙部となっており、上記環状の空隙部の少なくとも一部は、双方の基板の間隔が上記電気泳動表示体の厚さよりも小さい環状の狭小部となっていることを特徴とする。
【０００８】
かかる構成によれば、同一の電気泳動表示体を用いる場合において、上記電気泳動表示層と外部との間の経路を狭くでき、上記電気泳動表示層に到達する水蒸気量を低減できる。したがって、上記電気泳動表示層の水蒸気による劣化を抑制でき、電気泳動表示装置の寿命を長期化できる。
【０００９】
好ましくは、上記環状の空隙部の少なくとも一部には、水蒸気を遮断する機能を有する材料が充填されている。
【００１０】
かかる構成によれば、上記空隙部を経て上記電気泳動表示層に到達する水蒸気量をより一層低減できる。したがって、上記電気泳動表示層の水蒸気による劣化をより一層抑制できる。
【００１１】
また、好ましくは、上記環状の狭小部は、上記第１の基板および上記第２の基板の少なくとも一方の基板の外周部を、対向する基板に近づく方向に曲げられることにより形成されている。
【００１２】
かかる構成によれば、上記第１の基板および上記第２の基板の厚さ等を変更することなく、上記環状の狭小部を形成できる。したがって、工数の増加を抑制しつつ上記電気泳動表示層に到達する水蒸気量を低減し、当該電気泳動表示層の水蒸気による劣化を抑制できる。
【００１３】
また、好ましくは、上記環状の狭小部は、上記第１の基板および上記第２の基板の少なくとも一方の基板の外周部に配置された環状の隔壁により形成されている。
【００１４】
かかる構成によれば、上記双方の基板を変形させることなく、上記環状の狭小部を形成できる。したがって、上記電気泳動表示層に到達する水蒸気量を確実に低減できる。
【００１５】
また、好ましくは、上記電気泳動表示層は、絶縁性の液体中に電気泳動性の粒子を分散させた分散液を保持する複数の略同一の形状のマイクロカプセルを２次元に配列して形成されている。
【００１６】
略同一の形状のマイクロカプセルを２次元に配列することで上記電気泳動表示層の膜厚（層厚）のばらつきを抑制して均一化できる。ここで、上記環状の狭小部の間隔は、基板の折り曲げの程度と上記電気泳動表示体の厚さとで決定される。そして、上記透明導電性材料層はスパッタ法により高い膜厚均一性を得られるため、上記電気泳動表示層の膜厚のばらつきを抑制することで、上記電気泳動表示体の厚さのばらつきも抑制できる。したがって、かかる構成により、上記環状の狭小部の間隔のばらつきも抑制でき上記電気泳動表示層の水蒸気による劣化をより一層確実に抑制できる。
【００１７】
また、好ましくは、上記第１の基板は、マトリクス状に配置された画素電極、当該画素電極に画像信号を供給するスイッチング素子及び当該スイッチング素子を制御可能な外部回路を有する。
【００１８】
かかる構成によれば、上記スイッチング素子を外部から制御することにより、上記電気泳動性の粒子を電気泳動表示層内において移動させることができる。
したがって、上記電気泳動表示層内に画像を形成できる。
【００１９】
また、好ましくは、上記スイッチング素子は薄膜トランジスタである。
【００２０】
薄膜トランジスタは制御性が高いため、かかる構成により、電気泳動表示装置の画質を向上できる。
【００２１】
また、好ましくは、上記第２の基板は、透光性を有する。
【００２２】
かかる構成によれば、上記画像を上記第２の基板側から視認でき、反射型表示装置の形成が容易になる。
【発明を実施するための最良の形態】
【００２３】
以下、従来の電気泳動表示装置、および本発明にかかる電気泳動表示装置の実施の形態を、図面に基き説明する。なお、以下に述べる実施の形態は本発明の好適な具体例であるから、技術的に好ましい種々の限定が付されている。しかし、本発明の範囲は、以下の説明において特に本発明を限定する旨の記載がない限り、これらの形態に限られるものではない。また、以下の説明で用いる図面では、各層や各部材を図面上で認識可能な程度の大きさとするため、これらの縮尺を実際のものとは異なるように表わしている。
【００２４】
図１は、従来の電気泳動表示装置の断面を模式的にを示すものである。電気泳動表示装置は、第１の基板としての回路基板１０と第２の基板としての保護基板２０の間に電気泳動表示体５０を狭持して構成されている。
【００２５】
回路基板１０は、回路形成工程における加熱等を考慮して石英、ガラス等の剛性および耐熱性を有する材料からなる。回路基板１０上にはスイッチング素子としてのＴＦＴ４６（薄膜トランジスタ）がマトリクス状に形成されており、一方の端部には共通電極４４が形成されている。ＴＦＴ４６は図示しない外部回路と接続されており、外部から伝達される情報により、個別にＯＮ／ＯＦＦ制御される。
【００２６】
電気泳動表示体５０は、第１の接着層３２、マイクロカプセル３５を含む電気泳動表示層３４、透明導電性材料層としてのＩＴＯ層３６、ＰＥＴ層３８、第２の接着層４０、および導通部材４２等からなる。
【００２７】
ＰＥＴ層３８は、電気泳動表示体５０の製造を開始するときの基礎となる層である。柔軟性と透光性が必要なため、ＰＥＴ（ポリエチレンテレフタレート）を用いている。ＩＴＯ（酸化インジウム・すず合金）層３６は、電気泳動表示層３４に電圧を印加する際の一方の電極となる層である。もう一方の電極が個々に制御されるＴＦＴ４６なので、ＩＴＯ層３６はＰＥＴ層３８の全面に形成されて、表面全域を共通電位としている。透光性と導電性が必要なため、ＩＴＯを用いている。
【００２８】
電気泳動表示層３４は、ＩＴＯ層３６上に２次元的に配置された複数のマイクロカプセル３５からなる。各々のマイクロカプセル３５内には、電気泳動粒子を分散させた電気泳動分散液が充填されている。電気泳動粒子としては、プラス極性に帯電している例えばカーボンブラック等の黒粒子とマイナス極性に帯電している例えば酸化チタン白粒子とが等量分散されている。駆動電圧の印加によりマイクロカプセル３５内に生じる電界により、それぞれの粒子を表示面に引き上げて画像を形成できる。なお、黒粒子と白色の電気泳動分散液とを組み合わせて画像を形成するいわゆる１粒子系の電気泳動表示層を用いてもよい。
【００２９】
第１の接着層３２は、電気泳動表示体５０と回路基板１０とを張り合わせるもので、電気泳動表示層３４を保護する機能も果たしている。両面粘着テープの形で用いることが好ましい。また、第２の接着層４０は、電気泳動表示体５０と保護基板２０とを張り合わせるもので、同じく両面粘着テープの形で用いることが好ましい。
【００３０】
保護基板２０は、電気泳動表示体５０を保護する基板である。物理的衝撃を防ぐと共に水蒸気等の滲入も抑制できることが必要であり、ガラス基板が用いられている。
【００３１】
以上述べたように、電気泳動表示装置は電気泳動表示体５０をガラス等からなる基板で狭持しているため、上下方向からの水蒸気等の滲入は殆んど抑制できる。しかし、電気泳動表示体５０の側面方向は開放されておりガラス等で覆われていないため、水蒸気等が滲入し得る。
【００３２】
上記滲入の程度は、電気泳動表示体５０が外部（外気）と接触する面積に比例する。つまり、回路基板１０と保護基板２０との間隔が最も狭い部分（以下、「狭小部」と称する。）の長さと電気泳動表示体５０の外周長との積で表わされる面積に比例する。後述するように、水蒸気の滲入を抑制するために、電気泳動表示体５０の周囲に水蒸気遮断材料を充填するのが一般的に実施されている。しかし、ガラスとは異なり、樹脂では上記滲入を完全には抑制できない。一方で、すなわち電気泳動表示装置の厚さを薄くして上記狭小部を縮小することも困難である。本発明は、電気泳動表示装置の厚さを一定に保ちつつ、上記狭小部を縮小して、水蒸気の滲入を抑制するものである。
（第１の実施形態）
【００３３】
図２に、本発明の第１の実施形態にかかる電気泳動表示装置の断面を模式的に示す。本実施形態の電気泳動表示装置は回路基板１０と保護基板２０とで狭持される電気泳動表示体５０は従来のものと相違ないので、外形線以外は図示を省略している。同様に回路基板１０上のＴＦＴ等も図示を省略している。
【００３４】
本実施形態の電気泳動表示装置は保護基板２０の端部６０を下方（回路基板の方向）に向けて撓ませて、狭小部１００を縮小していることが特徴である。保護基板２０は剛性の高いガラスで形成されているが、比較的薄めの基板を用い、かつ、張り合わせ時の加圧力を増加させることで、水蒸気の滲入を抑制する効果が充分に発生する程度までは撓ませることができる。
【００３５】
加圧力で撓ませた場合、当該加圧が解除されると保護基板２０は元の平坦な形状に戻る復元力が生じる。そこで、上記撓みを固定するために、電気泳動表示体５０の周囲に水蒸気を遮断する機能を有する材料としてのエポキシ樹脂（以下、単に「エポキシ樹脂」と称する。）７０を充填している。エポキシ樹脂７０は熱硬化性を有するため、保護基板２０を加圧して撓ませた状態でエポキシ樹脂７０を充填し、撓ませた状態を維持したままで加熱して硬化させることにより、保護基板２０が撓んだ状態で固定して、狭小部１００が縮小した状態を維持できる。
【００３６】
また、エポキシ樹脂７０は水蒸気の滲入を抑制する効果も果たしている。狭小部１００は縮小はしているが完全には閉じていないので、狭小部１００長さに比例する水蒸気は滲入し得る。エポキシ樹脂７０は、かかる水蒸気の滲入を抑制することで、撓みによる狭小部１００の縮小の効果と併せて水蒸気の遮段能力を向上させている。
【００３７】
以上述べたように、本実施形態の電気泳動表示装置は、構成する材料あるいは寸法等を大きく変化させることなく、保護基板２０の張り合わせ方法を変化させることのみで、水蒸気の遮段能力を向上させて寿命等の向上をもたらしている。
（第２の実施形態）
【００３８】
図３に、本発明の第２の実施形態にかかる電気泳動表示装置の断面を模式的に示す。本実施形態においても、第１の実施形態と同様に、ＴＦＴ等の一部の構成要素については図示を省略している。
【００３９】
本実施形態にかかる電気泳動表示装置はエポキシ樹脂７０の充填の態様に特徴がある。端部６０では保護基板２０の上面にもエポキシ樹脂７０が配置されており、狭小部１００に充填されているエポキシ樹脂７０と連続している。端部６０に配置されているエポキシ樹脂７０は保護基板２０の撓みを固定する効果を発揮している。
【００４０】
エポキシ樹脂７０が回路基板１０と保護基板２０との間にのみ充填されていると、撓みが元に戻ろうとする力を抑制する効果が不足することはあり得る。そしてその結果、どちらかの基板との界面に隙間が発生し、水蒸気の滲入を抑制しきれない可能性もあり得る。
【００４１】
しかし、上述するように、エポキシ樹脂７０が保護基板２０の上面にも配置され、端部６０まで回りこんで、保護基板２０を上方から押える効果を発揮すると、回路基板１０と保護基板２０との間において、隙間等が発生することを抑制できる。したがって、水蒸気の遮段能力をより一層向上でき、電気泳動表示装置の寿命等をより一層向上できる。
（張り合わせ圧力）
【００４２】
図４に、保護基板２０を張り合わせるときの圧力と、撓みの関係を示す。保護基板２０に形成される撓みは、下記の一般式（１）の形で近似できる。
撓み＝ｄ1−ｄ2＝４×ｌ3×Ｆｙ／（Ｅ×ｗ×ｔ3）…（１）
【００４３】
ここで、ｗは保護基板２０の奥行である。一般的に回路基板１０および保護基板２０は多角形であり、その一辺の長さをｗとしている。張り合わせ圧力Ｆｙを変えることで狭小部１００の長さを任意に設定でき、エポキシ樹脂７０に水蒸気を遮断する機能と共に、撓みを固定する機能も課すことで、狭小部１００の長さを固定して水蒸気の滲入を抑制できる。
（第３の実施形態）
【００４４】
図５に、本発明の第３の実施形態にかかる電気泳動表示装置の断面を模式的に示す。本実施形態においても、第１の実施形態と同様に、電気泳動表示体５０の構成要素、およびＴＦＴ等のについては図示を省略している。
【００４５】
本実施形態にかかる電気泳動表示装置は、回路基板１０の外縁部に電気泳動表示体５０の周囲を囲む隔壁８０を形成していることが特徴である。回路基板１０の外縁部はＴＦＴ４６等を制御する外部回路が形成されている領域であるが、回路基板１０の平面形状を若干拡大して、上記外部回路形成領域のさらに外縁部に隔壁８０を形成している。そして、第２の実施形態と同様に、端部６０の上面、および電気泳動表示体５０の外周の空隙にエポキシ樹脂７０を充填して、耐水蒸気性を向上させている。
【００４６】
狭小部１００とは回路基板１０と保護基板２０との間隔であるから、かかる隔壁８０を形成することにより、同一の形状の電気泳動表示体５０を狭持した場合でも、狭小部１００の長さを減少させることができる。したがって、電気泳動表示体５０がガラスからなる基板で覆われていない領域を減少させて、水蒸気の滲入を抑制できる。
【００４７】
なお、図５に示す本実施形態では、保護基板２０を第１、第２の実施形態と同様に撓ませている。その結果、狭小部１００の長さがより一層縮小して、水蒸気の滲入をより一層抑制している。しかし、保護基板２０に撓みを形成せずに隔壁８０の形成のみでも水蒸気の滲入は抑制でき、その効果は隔壁８０の高さを増加させることで向上させることができる。
（第４の実施形態）
【００４８】
図６に、本発明の第４の実施形態にかかる電気泳動表示装置の断面を模式的に示す。本実施形態においても、第１の実施形態と同様に、電気泳動表示体５０の構成要素、およびＴＦＴ等については図示を省略している。
【００４９】
本実施形態にかかる電気泳動表示装置は、隔壁８０を回路基板１０上ではなく保護基板２０上に形成していることが特徴である。狭小部１００を縮小する効果は第３の実施形態と同様に発揮できる。そして、保護基板２０は、回路基板１０とは異なり表面に外部回路等が形成されていないので、上記外部回路等を損なうことなく隔壁８０を形成でき、また、基板の形状を拡大する必要もない。したがって、回路基板１０ではなく保護基板２０に隔壁８０を形成することで、より一層容易に水蒸気の滲入を抑制でき、電気泳動表示装置の寿命等をより一層容易に向上できる。
【００５０】
なお、上述したように、隔壁８０の形成と、保護基板２０を撓ませることの双方を実施してもよいし、隔壁８０の形成のみで狭小部１００を縮小することも可能である。また、第３の実施形態と同様に、端部６０の上面、および電気泳動表示体５０の外周の空隙にエポキシ樹脂７０を充填して、耐水蒸気性を向上させている。
（第５の実施形態）
【００５１】
図７に、本発明の第５の実施形態にかかる電気泳動表示装置の製造方法の工程断面図を模式的に示す。上記第２の実施形態にかかる電気泳動表示装置の製造工程を示すものである。以下、図に従って説明する。
【００５２】
まず、図７（ａ）に示すように、回路基板１０に電気泳動表示体５０を張り合わせる。第１の接着層３２（図１参照）が両面テープである場合、接着層を別途形成することなく、回路基板１０上に電気泳動表示体５０を載置すればよい。回路基板１０の表面には予め、共通電極およびＴＦＴ４６等（図１参照）を形成されている。そして、張り合わせ時には、電気泳動表示体５０の導通部材４２（図１参照）と上記共通電極４４（図１参照）とが対向するように位置合わせする。
【００５３】
次に、図７（ｂ）に示すように、電気泳動表示体５０上に保護基板２０を張り合わせる。電気泳動表示体５０の平面寸法は、回路基板１０および保護基板２０の双方の平面寸法よりも小さいため、電気泳動表示体５０の周囲には環状の空隙部が形成される。電気泳動表示体５０の上面は第２の接着層４０（図１参照）が配置されているので、保護基板２０は、位置を合わせて載置すれば良い。
【００５４】
次に、図７（ｃ）に示すように、保護基板２０に矢印の方向に張り合わせ圧力を加えて、保護基板２０の端部６０を撓ませる。圧力の大きさは必要とされる撓みの大きさから、式（１）に基いて定める。撓みが生じることにより、狭小部１００の長さは縮小する。
【００５５】
次に、図７（ｄ）に示すように、シリンジ９０からエポキシ樹脂７０を供給して、上記環状の空隙部に充填する。そしてエポキシ樹脂７０を加熱して硬化させる。好ましくは、張り合わせ圧力を維持しつつエポキシ樹脂７０を加熱して硬化させる。かかる方法により、必要とされる撓みの大きさを確実に維持したまま固定できる。
【００５６】
最後に、図７（ｅ）に示すように、端部６０の上面にエポキシ樹脂７０をシリンジ９０から供給する。本工程で供給するエポキシ樹脂７０は、前工程で供給したエポキシ樹脂７０と連続して保護基板２０の端部６０の上面を充分に覆うようにする。そして、前工程と同じく、供給したエポキシ樹脂７０を加熱して硬化させる。
【００５７】
かかる製造方法により、保護基板２０の端部６０を撓ませた状態で固定でき、狭小部１００の長さを縮小できる。したがって、電気泳動表示体５０自体には変更を加えることなく、保護基板２０の張り合わせ工程を変更し、エポキシ樹脂７０の供給回数を１回増やすのみで、狭小部１００を縮小して、電気泳動表示装置の寿命等を向上させることができる。
（第６の実施形態）
【００５８】
図８に、本発明の第６の実施形態にかかる電気泳動表示装置の製造方法の工程断面図を模式的に示す。上記第４の実施形態にかかる電気泳動表示装置の製造工程を示すものである。以下、図に従って説明する。
【００５９】
まず、図８（ａ）に示すように、保護基板２０の端部６０にノズル１０５から低融点のガラス材料溶液１１０を滴下する。ここで、保護基板２０は、裏返した態様で図示している。保護基板２０は多角形なので、端部６０は平面的には保護基板２０の外縁部の一回りする環状の領域である。したがって、低融点のガラス材料溶液１１０は保護基板２０の外縁部の一回りする土手状に配置される。
【００６０】
次に、図８（ｂ）に示すように、低融点のガラス材料溶液１１０が完全に固形化する直前に、金型１２０でプレス成型して、隔壁８０とする。
【００６１】
次に、図８（ｃ）に示すように、別工程で回路基板１０と張り合わせられた電気泳動表示体５０上に、保護基板２０を隔壁８０が回路基板１０と対面する方向に載置する。この状態において、隔壁８０の存在により、狭小部１００の長さは回路基板１０と保護基板２０との間隔よりも小さくなる。
【００６２】
次に、図８（ｄ）に示すように、保護基板２０に矢印の方向に張り合わせ圧力を加えて、保護基板２０の端部６０を撓ませる。圧力の大きさは上記第５の実施形態と同様に定める。撓みが生じることにより、狭小部１００の長さはさらに縮小する。
【００６３】
最後に、図８（ｅ）に示すように、保護基板２０に加える張り合わせ圧力を維持しつつ、回路基板１０と、保護基板２０または隔壁８０とで構成される環状の空隙部にエポキシ樹脂７０を充填する。そして、上記圧力を維持しつつエポキシ樹脂７０を加熱して硬化する。
【００６４】
かかる製造方法により、保護基板２０の端部６０を撓ませた状態で固定でき、狭小部１００の長さを縮小できる。したがって、電気泳動表示体５０自体には変更を加えることなく、保護基板２０に隔壁８０を形成する工程を加えることで、狭小部１００を縮小して電気泳動表示装置の寿命等を向上させることができる。
【００６５】
なお、本実施形態では、保護基板２０を撓ませて、隔壁８０の効果と併せて狭小部１００を縮小しているが、保護基板２０を撓ませずに、隔壁８０の効果のみで狭小部１００を縮小してもよい。また上記第５の実施形態と同様に、エポキシ樹脂７０を２度供給して、端部６０の上面にも配置して、より一層硬く固めてもよい。
（変形例１）
【００６６】
上記第１〜第６の実施形態では回路基板１０をガラス、石英等の耐熱性および剛性を有する材料で形成している。しかし本発明は、回路基板としてフレキシブルな材料からなる基板を用いる場合にも適用可能である。上述したように、ＴＦＴ等の回路の形成は耐熱性および剛性を有する基板を用いることが好ましい。しかし、形成後の回路を他の基板に転写することは可能であり、フレキシブルな基板に回路を転写して回路基板１０とすることができる。
（変形例２）
【００６７】
上記第１〜第６の実施形態では狭小部１００は所定の長さを有するものを例示している。しかし、本発明は狭小部１００がゼロ、つまり保護基板２０が回路基板１０に突き当たっており、隙間が開いていない態様も可能である。電気泳動表示層が外気と接触しないため、水蒸気の滲入をより一層抑制できる。
（変形例３）
【００６８】
上記第１〜第６の実施形態では水蒸気を遮断する機能を有する材料として、熱硬化型のエポキシ樹脂７０を用いているが、それに替えて、紫外線硬化型のエポキシ樹脂を用いることも可能である。紫外線は局所的に照射可能なので、エポキシ樹脂７０を充填しつつ硬化していくことも可能であり、作業性を向上できる。
【図面の簡単な説明】
【００６９】
【図１】従来の電気泳動表示装置の模式断面図。
【図２】本発明の第１の実施形態にかかる電気泳動表示装置の模式断面図。
【図３】本発明の第２の実施形態にかかる電気泳動表示装置の模式断面図。
【図４】保護基板を張り合わせるときの圧力と撓みの関係を示す図。
【図５】本発明の第３の実施形態にかかる電気泳動表示装置の模式断面図。
【図６】本発明の第４の実施形態にかかる電気泳動表示装置の模式断面図。
【図７】本発明の第５の実施形態にかかる電気泳動表示装置の製造方法を模式的に示す工程断面図。
【図８】本発明の第６の実施形態にかかる電気泳動表示装置の製造方法を模式的に示す工程断面図。
【符号の説明】
【００７０】
１０…第１の基板としての回路基板、２０…第２の基板としての保護基板、３２…第１の接着層、３４…電気泳動表示層、３５…マイクロカプセル、３６…透明導電性材料層としてのＩＴＯ層、３８…ＰＥＴ層、４０…第２の接着層、４２…導通部材、４４…共通電極、４６…ＴＦＴ、５０…電気泳動表示体、６０…端部、７０…水蒸気を遮断する機能を有する材料としてのエポキシ樹脂、８０…隔壁、９０…シリンジ、１００…狭小部、１０５…ノズル、１１０…ガラス材料溶液、１２０…金型。
【図１】
2008233737.tif 000003
【図２】
2008233737.tif 000004
【図３】
2008233737.tif 000005
【図４】
2008233737.tif 000006
【図５】
2008233737.tif 000007
【図６】
2008233737.tif 000008
【図７】
2008233737.tif 000009
【図８】
2008233737.tif 000010